(57)【要約】      （修正有）【課題】平常時の逆流防止機能が長期間発揮され、火災発生時には、スプリンクラーヘッドからの放水が確実に確保され、かつ給水栓やスプリンクラーヘッドの詰まりが回避される水道連結型スプリンクラーヘッド接続用の継手を提供する。【解決手段】両端部が給水管に介設した多口継手の分岐口とスプリンクラーヘッドとに振り分けて接続される継管ユニットに、当該継管ユニットおよびスプリンクラーヘッドの滞留水の給水管への逆流を防止する逆止弁１２を内装した水道連結型スプリンクラーヘッド接続用の継手において、逆止弁１２は、硬質合成樹脂製の弁体１６と、硬質合成樹脂製の弁座１３とを備え、弁体１６と弁座１３どうしの互いの当接で形成される環状の線当接１２Ａで弁閉されるように構成する。【選択図】図２
0003218122.tif 000002
【実用新案登録請求の範囲】
【請求項１】
上水道本管から分岐されて端末に取り付けた給水栓の開閉により水道水を供給・遮断する給水管と、この給水管に介設された多口継手と、当該多口継手の分岐口に上流端部が接続されかつ下流端部がスプリンクラーヘッドに接続される継管ユニットと、この継管ユニットに内装され平常時は弁閉されて当該継管ユニットおよびスプリンクラーヘッドの滞留水の前記給水管への逆流を防止し、火災発生時は弁開されてスプリンクラーヘッドの放水を確保する逆止弁と、を備える水道連結型スプリンクラーヘッド接続用の継手において、
前記逆止弁は、硬質合成樹脂製の弁体と、硬質合成樹脂製の弁座と、を備え、前記弁体と前記弁座どうしの互いの当接で形成される環状の線当接と環状の面当接のいずれかで弁閉されることを特徴とする水道連結型スプリンクラーヘッド接続用の継手。
【請求項２】
請求項１に記載した水道連結型スプリンクラーヘッド接続用の継手において
前記逆止弁は、弁軸線に直交して弁体と弁座のいずれか一方に設けた環状当接線と、弁軸線に直交して弁体と弁座の残る他方に前記環状当接線と互いの当接を可能に設けた環状当接面と、を備え、前記環状当接線と環状当接面どうしの互いの当接により形成される環状の線当接で弁閉する水道連結型スプリンクラーヘッド接続用の継手。
【請求項３】
請求項１に記載した水道連結型スプリンクラーヘッド接続用の継手において
前記逆止弁は、弁軸線に直交して弁体に設けた第１環状当接面と、弁軸線に直交して前記第１環状当接面と互いの当接を可能に弁座に設けた第２環状当接面と、を備え、前記第１環状当接面と第２環状当接面どうしの互いの当接により形成される環状の面当接で弁閉する水道連結型スプリンクラーヘッド接続用の継手。
【考案の詳細な説明】
【技術分野】
【０００１】
本考案は水道連結型スプリンクラーヘッド接続用の継手に係り、詳しくは、給水管に接続した継管ユニットと、この継管ユニットに接続したスプリンクラーヘッドの滞留水が給水管に逆流するのを防止するために、継管ユニットに内装されている逆止弁を改良してなる水道連結型スプリンクラーヘッド接続用の継手に関する。
【背景技術】
【０００２】
水道連結型スプリンクラーヘッド接続用の継手は、上水道本管から分岐されて端末に取り付けた蛇口や水洗トイレの水タンクに付設のボールタップなどの給水栓の開閉により水道水を供給・遮断する給水管と、この給水管に介設された多口継手と、当該多口継手の分岐口に上流端部が接続されかつ下流端部がスプリンクラーヘッドに接続される継管ユニットとを備えており、平常時は、給水栓の開放により水道水を放水して生活用水に使用され、火災発生時にスプリンクラーヘッドからの放水で消火を行う、
【０００３】
前記水道連結型スプリンクラーヘッド接続用の継手では、継管ユニットおよびスプリンクラーヘッドの滞留水が給水管に逆流して生活用水に悪影響をおよぼすのを防止する必要がある。そのため、前記逆流防止用の逆止弁を内装した水道連結型スプリンクラーヘッド接続用の継手が特許文献１により提供されている。
【０００４】
前記特許文献１に記載の水道連結型スプリンクラーヘッド接続用の継手を図６，図７に示し、水道連結型スプリンクラーヘッド接続用の継手を備えた配管系の一例を図８に示す。図６〜図８おいて、水道連結型スプリンクラーヘッド接続用の継手１は、止水栓１１を介して上水道本管９から分岐されて端末に取り付けた給水栓１０の開閉により水道水を供給・遮断する給水管５と、この給水管５に介設された多口継手２と、当該多口継手２の分岐口６に上流端部３０が接続されかつ下流端部３１がスプリンクラーヘッド８に接続される継管ユニット３と、継管ユニット３の上流端部３０に内装されて当該継管ユニット３内部の滞留水の給水管５への逆流を防止する逆止弁１２と、を備えている。
なお、図８に示す配管系では、多口継手２をＴ型継手で構成し、第１通路４の両端部に給水管５を接続して、当該第１通路４から分岐した第２通路を分岐口６として、ここに継管ユニット３の上流端部３０（図６参照）を接続している。
【０００５】
継管ユニット３は、その上流端部３０にステンレス鋼製の筒体からなる第１継手３２を設け、下流端部３１にステンレス鋼製の筒体からなる第２継手３３を設けるとともに、第１継手３２と第２継手３３は、ステンレス鋼製の可撓管（フレキ管）３４により互いに水密に連結されていて、第１継手３２が分岐口６に接続され、第２継手３３がスプリンクラーヘッド８に接続される。
ここで、継管ユニット３の接続は、第１継手３２を分岐口６に接続した後、第２継手３３を天井（図示省略）に既設のスプリンクラーヘッド８に接続する手順によってなされるが、可撓管３４の撓み作用により第２継手３３に大きい変位自由度が確保されるので、第２継手３３とスプリンクラーヘッド８との軸心合わせとそれに続く接続作業が容易になるとされている。
【０００６】
逆止弁１２は、合成樹脂製の弁体１６と、合成樹脂製の弁座１３とを備え、弁座１３は、合成樹脂製の円筒状弁箱１３Ａの上流端部内周に一体成形により径内方向に膨出した環状部からなり、弁箱１３Ａは第１継手３２に嵌合されて、弁箱１３Ａの上流端部外周に設けた環状溝２６に合成ゴム製のＯリングからなるシール部材２７が嵌め込まれ、このシール部材２７が第１継手３２の内周面に軟当接している。
【０００７】
弁体１６は、一体成形された弁頭１４と弁棒１５とを有し、弁頭１４の外周に設けた環状溝１４ａに合成ゴム製のＯリングからなるシール部材２７が嵌め込まれており、このシール部材２７の弁座１３への圧接・離隔により逆止弁１２が弁閉・弁開される。
【０００８】
弁体１６は、弁棒１５を弁箱１３Ａの下流端部に嵌合固着された弁体保持部材１７の中心孔１７ａに進退自在に挿通した状態で弁箱１３Ａに組み込まれており、弁頭１４と弁体保持部材１７の間に介在するスプリング１８の付勢によりシール部材２７が弁座１３に圧接して逆止弁１２を弁閉する。
【０００９】
逆止弁１２は、その上流域の１次圧Ｐ１と下流域の２次圧Ｐ２との平衡状態で、スプリング１８の付勢によりシール部材２７を弁座１３に圧接させた弁閉が確保され、火災発生時におけるスプリンクラーヘッド８開放時の２次圧Ｐ２の低下で生じる１次圧Ｐ１と２次圧Ｐ２とに差圧（Ｐ１＞Ｐ２）により、スプリング１８を圧縮してシール部材２７を弁座１３から離隔させた弁開が確保される。図６，図７において、１９はステンレス鋼製の止め輪（スナップリング）である。
【００１０】
前記水道連結型スプリンクラーヘッド接続用の継手１によれば、平常時、止水栓１１の開放状態で給水栓１０を開放すると、水道水は生活用水として洗濯機やバスタブあるいはトイレなどの雑用水に供給される。平常時では、１次圧Ｐ１と２次圧Ｐ２の平衡状態が保持されて、逆止弁１２が弁閉されているので、継管ユニット３およびスプリンクラーヘッド８の滞留水の給水管５への逆流が防止される。その一方、火災発生時には、前述の理由により、逆止弁１２が弁開して、スプリンクラーヘッド８から水道水が放出される。
【先行技術文献】
【特許文献】
【００１１】
【特許文献１】実用新案登録第３１８７１０６号
【考案の概要】
【考案が解決しようとする課題】
【００１２】
ところが、前記従来の水道連結型スプリンクラーヘッド接続用の継手１では、逆止弁１２は、平常時、スプリング１８の付勢によりシール部材２７が弁座１３に圧接した状態で弁閉されているので、経年変化によりシール部材２７が弁座１３に固着したり、あるいは、シール部材２７が細かく切断される現象が生じるおそれを有している。シール部材２７が弁座１３に固着すると、平常時における逆止弁１２の逆流防止機能は確保されるものの、火災発生時の逆止弁１２の弁開が妨げられて、スプリンクラーヘッド８からの放水が確保できなくなる。また、シール部材２７が細かく切断されると、多数の切断片が給水管５や継管ユニット３に流出して逆止弁１２の逆流防止機能を低下させるばかりか、給水管５に流出した切断片は給水栓１０を詰まらせ、継管ユニット３に流出した切断片はスプリンクラーヘッド８を詰まらせる。
【００１３】
一方、従来の逆止弁１２は、シール部材２７相当分部品点数が多くなり、弁体１６（詳しくは、弁体１６の弁頭１４）にシール部材２７嵌め込み用の環状溝１４ａを設けていることから構造が複雑である。
【００１４】
本考案は、上記の実情に鑑みてなされたもので、部品点数を削減したシンプルな構造でありながら、平常時の逆流防止機能が長期間発揮され、火災発生時には、スプリンクラーヘッドからの放水が確実に確保されるとともに、給水栓やスプリンクラーヘッドの詰まりが回避される水道連結型スプリンクラーヘッド接続用の継手の提供を目的とするものである。
【課題を解決するための手段】
【００１５】
前記目的を達成するために、本考案に係る水道連結型スプリンクラーヘッド接続用の継手は、上水道本管から分岐されて端末に取り付けた給水栓の開閉により水道水を供給・遮断する給水管と、この給水管に介設された多口継手と、当該多口継手の分岐口に上流端部が接続されかつ下流端部がスプリンクラーヘッドに接続される継管ユニットと、この継管ユニットに内装され平常時は弁閉されて当該継管ユニットおよびスプリンクラーヘッドの滞留水の前記給水管への逆流を防止し、火災発生時は弁開されてスプリンクラーヘッドの放水を確保する逆止弁と、を備える水道連結型スプリンクラーヘッド接続用の継手において、
前記逆止弁は、硬質合成樹脂製の弁体と、硬質合成樹脂製の弁座と、を備え、前記弁体と前記弁座どうしの互いの当接で形成される環状の線当接と環状の面当接のいずれかで弁閉されることを特徴とするものである。
【００１６】
前記構成によれば、逆止弁は、平常時、硬質合成樹脂製の弁体と硬質合成樹脂製の弁座どうしの互いの当接で形成される環状の線当接と環状の面当接のいずれかで弁閉されて、継管ユニットおよびスプリンクラーヘッドの滞留水が給水管に逆流するのを防止する。硬質合成樹脂製の弁体と硬質合成樹脂製の弁座どうしが、環状の線当接と環状の面当接のいずれかで弁閉される構成では、経年変化により弁体と弁座どうしが固着することはない。よって、火災発生時、弁体と弁座どうしの互いの離隔による弁開が容易になされて、スプリンクラーヘッドからの放水が確実に確保される。しかも、経年変化により弁体および弁座が細かく切断されることもないので、逆流防止機能を長期間発揮することが可能であり、かつ給水栓やスプリンクラーヘッドの詰まりを回避することができるばかりか、従来の逆止弁で必要とされるシール部材が不要となり、その分部品点数が削減され、これに伴いシール部材嵌め込み用の環状溝が省略できるので、構造がシンプルとなる。
【００１７】
前記逆止弁は、弁軸線に直交して弁体と弁座のいずれか一方に設けた環状当接線と、弁軸線に直交して弁体と弁座の残る他方に前記環状当接線と互いの当接を可能に設けた環状当接面と、を備え、前記環状当接線と環状当接面どうしの互いの当接により形成される環状の線当接で弁閉する。これによれば、逆止弁は環状の線当接で弁閉されて、継管ユニットおよびスプリンクラーヘッドの滞留水が給水管に逆流するのを防止することができる。
【００１８】
前記逆止弁は、弁軸線に直交して弁体に設けた第１環状当接面と、弁軸線に直交して前記第１環状当接面と互いの当接を可能に弁座に設けた第２環状当接面と、を備え、前記第１環状当接面と第２環状当接面どうしの互いの当接により形成される環状の面当接で弁閉する。これによると、逆止弁は面当接で弁閉されて、継管ユニットおよびスプリンクラーヘッドの滞留水が給水管に逆流するのを防止することができる。
【考案の効果】
【００１９】
本考案の水道連結型スプリンクラーヘッド接続用の継手によれば、逆止弁は、部品点数が削減され、かつシンプルな構造でありながら、硬質合成樹脂製の弁体と硬質合成樹脂製の弁座どうしの互いの当接による弁閉で、継管ユニットおよびスプリンクラーヘッドの滞留水が給水管に逆流するのを防止する逆流防止機能を長期間発揮することが可能であり、火災発生時には、スプリンクラーヘッドからの放水が確実に確保されるとともに、給水栓やスプリンクラーヘッドの詰まりを回避することができる。
【図面の簡単な説明】
【００２０】
【図１】本考案に係る水道連結型スプリンクラーヘッド接続用の継手における継管ユニットを示す半截断面図である。
【図２】継管ユニットに内装される本考案逆止弁の第１実施形態を示す拡大鉛直断面図である。
【図３】第１実施形態の逆止弁の変形例を示す拡大鉛直断面図である。
【図４】本考案逆止弁の第２実施形態を示す拡大鉛直断面図である。
【図５】第２実施形態の逆止弁の変形例を示す拡大鉛直断面図である。
【図６】従来例の半截断面図である。
【図７】従来の要部を示す拡大半截断面図である。
【図８】水道連結型スプリンクラーヘッド接続用の継手を備えた配管系の一例を示す説明図である。
【考案を実施するための最良の形態】
【００２１】
以下、本考案に係る水道連結型スプリンクラーヘッド接続用の継手の好ましい実施例を図面に基づいて説明する。
なお、本考案に係る水道連結型スプリンクラーヘッド接続用の継手は、図６，図７で説明した従来例の水道連結型スプリンクラーヘッド接続用の継手１に備わる逆止弁を改良したものである。よって、従来と同一部分には同一符号を付して、重複する説明は省略するとともに、多口継手２，給水管５，多口継手２の分岐口６，スプリンクラーヘッド８，上水道本管９，給水栓１０，止水栓１１などの説明は、図８に基づいて行う。
【００２２】
図１は本考案に係る水道連結型スプリンクラーヘッド接続用の継手における継管ユニットを示す半截断面図、図２は継管ユニットに内装される本考案逆止弁の第１実施形態を示す拡大鉛直断面図である。
【００２３】
図１，図２および図８において、本考案に係る水道連結型スプリンクラーヘッド接続用の継手１の逆止弁１２は、硬質合成樹脂製の弁体１６と、この弁体１６が当接・離隔して当該逆止弁１２を弁閉・弁開する硬質合成樹脂製の弁座１３と、を備える。
【００２４】
逆止弁１２は、弁体１６の弁頭１４に、弁軸線Ｃに直交して形成した直角外向きコーナ部のエッジからなる環状当接線１４ｂが設けられ、弁座１３に、環状当接線１４ｂと互いの当接を可能に、弁軸線Ｃに直交する平滑な内向き截頭円錐面からなる環状当接面１３ｃが設けられ、環状当接線１４ｂと環状当接面１３ｃどうしの互いの当接により形成される環状の線当接１２Ａで弁閉するように構成してある。
【００２５】
逆止弁１２は、平常時、環状の線当接１２Ａで弁閉されて、継管ユニット３内部の滞留水が給水管５に逆流するのを防止する。環状当接線１４ｂと環状当接面１３ｃどうしの互いの当接により形成される環状の線当接１２Ａで弁閉される構成では、経年変化により環状当接線１４ｂと環状当接面１３ｃどうしが固着することはない。言い換えると、弁体１６と弁座１３どうしが固着することはない。よって、火災発生時、環状当接線１４ｂと環状当接面１３ｃどうしの互いの離隔による弁開が容易になされて、スプリンクラーヘッド８からの放水が確実に確保される。しかも、経年変化により弁体１６および弁座１３が細かく切断されて環状の線当接１２Ａが消滅することもないので、逆流防止機能を長期間発揮することが可能であり、かつ給水栓１０やスプリンクラーヘッド８の詰まりを回避することができるばかりか、従来の逆止弁１２で必要とされるシール部材２７が不要となり、その分部品点数が削減され、構造がシンプルとなる。なお、本実施形態での環状当接線１４ｂは、上記の通り弁軸線Ｃに直交して形成した直角外向きコーナ部のエッジからなるが、このエッジ部分に丸み（アール）を設けて環状当接線１４ｂを構成してもよい。
また、環状溝１４ａは必ずしも設ける必要はないが、図示のように設けることにより、ここに合成ゴム製のＯリングからなるシール部材を嵌め込んで、従来のように前記Ｏリングと環状当接面１３ｃどうしの互いの当接により弁閉させることも可能となる。
【００２６】
次に、前記第１実施形態の逆止弁１２の変形例を図３に基づき、かつ第１実施形態の逆止弁１２と同一部分には同一符号を付して説明する。
図３は第１実施形態の逆止弁の変形例を示す拡大鉛直断面図である。この図において、逆止弁１２は、弁座１３に、弁軸線Ｃに直交して形成した直角内向きコーナ部のエッジからなる環状当接線１４ｂが設けられ、弁体１６の弁頭１４に、環状当接線１４ｂと互いの当接を可能に、弁軸線Ｃに直交する平滑な外向き截頭円錐面からなる環状当接面１３ｃが設けられ、環状当接線１４ｂと環状当接面１３ｃどうしの互いの当接により形成される環状の線当接１２Ａで弁閉するように構成してある。このような構成の逆止弁１２でも、前記図１，図２で説明した第１実施形態の逆止弁１２と同様の作用・効果を奏することができる。
なお、本第１実施形態の逆止弁１２の変形例での環状当接線１４ｂは、上記の通り弁軸線Ｃに直交して形成した直角内向きコーナ部のエッジからなるが、このエッジ部分に丸み（アール）を設けて環状当接線１４ｂを構成してもよい。
【００２７】
次に、逆止弁１２の第２実施形態を図４に基づき、かつ第１実施形態の逆止弁１２と同一部分には同一符号を付して説明する。
図４は本考案逆止弁の第２実施形態を示す拡大鉛直断面図である。この図に示すように、逆止弁１２は、弁体１６における弁頭１４の外周に、弁軸線Ｃに直交して設けた平滑な外向き截頭円錐面からなる第１環状当接面１４ｃと、弁軸線Ｃに直交して第１環状当接面１４ｃと互いの当接を可能に弁座１３に設けた平滑な内向き截頭円錐面からなる第２環状当接面１３ｃとを備え、第１環状当接面１４ｃと第２環状当接面１３ｃどうしの互いの当接により形成される環状の面当接１２Ｂで弁閉するように構成されている。
なお、環状溝１４ａは必ずしも設ける必要はないが、図示のように設けることにより、ここに合成ゴム製のＯリングからなるシール部材を嵌め込んで、従来のように前記Ｏリングと第２環状当接面１３ｃどうしの互いの当接により弁閉させることも可能となる。
【００２８】
図４，図８において、逆止弁１２は、平常時、環状の面当接１２Ｂで弁閉されて、継管ユニット３およびスプリンクラーヘッド８の滞留水が給水管５に逆流するのを防止する。第１環状当接面１４ｃと第２環状当接面１３ｃどうしの互いの当接により形成される環状の面当接１２Ｂで弁閉される構成では、経年変化により第１環状当接面１４ｃと第２環状当接面１３ｃどうしが固着することはない。言い換えると、弁体１６と弁座１３どうしが固着することはない。よって、火災発生時、第１環状当接面１４ｃと第２環状当接面１３ｃどうしの互いの離隔による弁開が容易になされて、スプリンクラーヘッド８からの放水が確実に確保される。しかも、経年変化により弁体１６および弁座１３が細かく切断されて環状の面当接１２Ｂが消滅することもないので、逆流防止機能を長期間発揮することが可能であり、かつ給水栓１０やスプリンクラーヘッド８の詰まりを回避することができる。
【００２９】
次に、第２実施形態の逆止弁１２の変形例について説明する。
図５は第２実施形態の逆止弁１２の変形例を拡大して示す鉛直断面図である。なお、図４で説明した第２実施形態の逆止弁１２と同一部分には同一符号を付して重複する説明は省略する。
【００３０】
図５に示す逆止弁１２は、図４で説明した第２実施形態の逆止弁１２に設けた環状溝１４ａを省略してある。このような構成の逆止弁１２でも、図４の逆止弁１２と同様の作用・効果を奏することができるばかりか、環状溝１４ａの省略により構造がシンプルとなる。
【００３１】
本考案の水道連結型スプリンクラーヘッド接続用の継手について、前記各実施形態およびそれらの変形例に基づいて説明したが、本考案は前記実施形態およびそれらの変形例の構成に限定されるものではなく、その趣旨および技術思想を逸脱しない範囲であれば構造変形が可能である。
【産業上の利用可能性】
【００３２】
本考案の水道連結型スプリンクラーヘッド接続用の継手は、上水道本管から分岐されている給水管を利用した水道連結型スプリンクラー設備において、給水管とスプリンクラーヘッドとを接続する継管ユニットおよびスプリンクラーヘッドの滞留水の給水管への逆流防止に有用である。
【符号の説明】
【００３３】
１  水道連結型スプリンクラーヘッド接続用の継手
２  多口継手
３  継管ユニット
３０  継管ユニットの上流端部
３１  継管ユニットの下流端部
５  給水管
６  多口継手の分岐口
８  スプリンクラーヘッド
９  上水道本管
１０  給水栓
１２  逆止弁
１２Ａ  環状の線当接
１２Ｂ  環状の面当接
１３  弁座
１３ｃ  環状当接面（第２環状当接面）
１４ｂ  環状当接線
１４ｃ  第１環状当接面
１６ｃ  弁体
Ｃ  弁軸線
【図１】
0003218122.tif 000003
【図２】
0003218122.tif 000004
【図３】
0003218122.tif 000005
【図４】
0003218122.tif 000006
【図５】
0003218122.tif 000007
【図６】
0003218122.tif 000008
【図７】
0003218122.tif 000009
【図８】
0003218122.tif 000010